【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
入力画像信号をブロック化し、該ブロック単位で符号化を行う画像情報符号化装置において、
色信号の解像度を示すクロマフォーマット信号及び色空間を示す色空間信号に基づき、ブロックサイズを適応的に変更して、色信号を画像内予測符号化する際の予測画像を生成する画像内予測手段と、
上記画像内予測手段によって生成された予測画像と原画像との差分信号を所定のブロックサイズ単位で整数変換する変換手段と、
上記変換手段による変換に応じて量子化する量子化手段と、
上記量子化手段から出力された変換係数と、上記クロマフォーマット信号及び上記色空間信号とを符号化する符号化手段と
を備えることを特徴とする画像情報符号化装置。
【請求項２】
上記変換手段は、上記所定のブロックサイズ単位で整数変換した後のＤＣ成分のみを集めて構成されたブロックをさらに整数変換することを特徴とする請求項１記載の画像情報符号化装置。
【請求項３】
上記クロマフォーマット信号は、４：２：０フォーマット、４：２：２フォーマット及び４：４：４フォーマットを少なくとも含み、上記色空間信号は、ＹＣｂＣｒ、ＲＧＢ及びＸＹＺを少なくとも含むことを特徴とする請求項２記載の画像情報符号化装置。
【請求項４】
上記画像内予測手段は、上記クロマフォーマット信号が４：２：０フォーマット、上記色空間信号がＹＣｂＣｒである場合には、８×８画素単位で上記予測画像を生成することを特徴とする請求項３記載の画像情報符号化装置。
【請求項５】
上記画像内予測手段は、上記クロマフォーマット信号が４：２：２フォーマット、上記色空間信号がＹＣｂＣｒである場合には、８×８画素のブロックを縦方向に並べた８×１６画素単位で上記予測画像を生成することを特徴とする請求項３記載の画像情報符号化装置。
【請求項６】
上記画像内予測手段は、上記クロマフォーマット信号が４：４：４フォーマット、上記色空間信号がＹＣｂＣｒ、ＲＧＢ又はＸＹＺである場合には、８×８画素のブロックを縦横方向に並べた１６×１６画素単位で上記予測画像を生成することを特徴とする請求項３記載の画像情報符号化装置。
【請求項７】
上記変換手段は、上記クロマフォーマット信号が４：２：０フォーマット、上記色空間信号がＹＣｂＣｒである場合には、上記差分信号を４×４画素単位で整数変換し、変換後のＤＣ成分を集めて構成された２×２画素単位のブロックをさらに整数変換することを特徴とする請求項４記載の画像情報符号化装置。
【請求項８】
上記変換手段は、上記クロマフォーマット信号が４：２：２フォーマット、上記色空間信号がＹＣｂＣｒである場合には、上記差分信号を４×４画素単位で整数変換し、変換後のＤＣ成分を集めて構成された２×４画素単位のブロックをさらに整数変換することを特徴とする請求項５記載の画像情報符号化装置。
【請求項９】
上記変換手段は、上記クロマフォーマット信号が４：４：４フォーマット、上記色空間信号がＹＣｂＣｒ、ＲＧＢ又はＸＹＺである場合には、上記差分信号を４×４画素単位で整数変換し、変換後のＤＣ成分を集めて構成された４×４画素単位のブロックをさらに整数変換することを特徴とする請求項６記載の画像情報符号化装置。
【請求項１０】
入力画像信号をブロック化し、該ブロック単位で符号化を行う画像情報符号化方法において、
色信号の解像度を示すクロマフォーマット信号及び色空間を示す色空間信号に基づき、ブロックサイズを適応的に変更して、色信号を画像内予測符号化する際の予測画像を生成する画像内予測工程と、
上記画像内予測工程にて生成された予測画像と原画像との差分信号を所定のブロックサイズ単位で整数変換する変換工程と、
上記変換工程における変換に応じて量子化する量子化工程と、
上記量子化工程にて出力された変換係数と、上記クロマフォーマット信号及び上記色空間信号とを符号化する符号化工程と
を有することを特徴とする画像情報符号化方法。
【請求項１１】
入力された符号化画像信号を復号する画像情報復号装置において、
上記符号化画像信号を復号する復号手段と、
上記復号手段からの出力信号を用いて、予測画像を生成する予測手段と、
上記復号手段から出力された信号と上記予測手段から出力された信号とを加算し、出力する出力手段とを備え、
上記予測手段は、上記符号化画像信号がイントラ画像の際、上記符号化画像信号に含まれる色信号の解像度を示すクロマフォーマット情報及びイントラ色差予測情報に基づいて、イントラ予測処理を行うことを特徴とする画像情報復号装置。
【請求項１２】
上記復号手段は、
上記符号化画像信号を逆量子化する逆量子化手段と、
上記逆量子化手段から出力された信号を逆整数変換する逆変換手段とを備え、
上記逆変換手段は、上記逆量子化されたブロックを整数変換し、この各係数を所定のブロックサイズのブロックの各ＤＣ成分として、上記所定のブロックサイズ単位でさらに整数変換することを特徴とする請求項１１記載の画像情報復号装置。
【請求項１３】
上記クロマフォーマット信号は、４：２：０フォーマット、４：２：２フォーマット及び４：４：４フォーマットを少なくとも含み、上記色空間信号は、ＹＣｂＣｒ、ＲＧＢ及びＸＹＺを少なくとも含むことを特徴とする請求項１２記載の画像情報復号装置。
【請求項１４】
上記逆変換手段は、上記クロマフォーマット信号が４：２：０フォーマット、上記色空間信号がＹＣｂＣｒである場合には、上記逆量子化された２×２画素単位のブロックを整数変換し、変換後の各係数を８×８画素のブロックを構成する４つの４×４画素単位のブロックの各ＤＣ係数としてさらに整数変換することを特徴とする請求項１３記載の画像情報復号装置。
【請求項１５】
上記逆変換手段は、上記クロマフォーマット信号が４：２：２フォーマット、上記色空間信号がＹＣｂＣｒである場合には、上記逆量子化された２×４画素単位のブロックを整数変換し、変換後の各係数を８×１６画素のブロックを構成する８つの４×４画素単位のブロックの各ＤＣ係数としてさらに整数変換することを特徴とする請求項１３記載の画像情報復号装置。
【請求項１６】
入力された符号化画像信号を復号する画像情報復号方法において、
上記符号化画像信号を復号する復号工程と、
上記復号工程にて出力された出力信号を用いて、予測画像を生成する画像内予測工程と、
上記復号工程にて出力された信号と上記予測工程にて出力された信号とを加算し、出力する出力工程とを有し、
上記予測工程では、上記符号化画像信号がイントラ画像の際、上記符号化画像信号に含まれる色信号の解像度を示すクロマフォーマット情報及びイントラ色差予測情報に基づいて、イントラ予測処理を行うことを特徴とする画像信号復号方法。
【手続補正２】
【補正対象書類名】明細書
【補正対象項目名】００５９
【補正方法】変更
【補正の内容】
【００５９】
上述した目的を達成するために、本発明に係る画像情報符号化装置は、入力画像信号をブロック化し、該ブロック単位で符号化を行う画像情報符号化装置において、色信号の解像度を示すクロマフォーマット信号及び色空間を示す色空間信号に基づき、ブロックサイズを適応的に変更して、色信号を画像内予測符号化する際の予測画像を生成する画像内予測手段と、上記画像内予測手段によって生成された予測画像と原画像との差分信号を所定のブロックサイズ単位で整数変換する変換手段と、上記変換手段による変換に応じて量子化する量子化手段と、上記量子化手段から出力された変換係数と、上記クロマフォーマット信号及び上記色空間信号とを符号化する符号化手段とを備える。
【手続補正３】
【補正対象書類名】明細書
【補正対象項目名】００６０
【補正方法】変更
【補正の内容】
【００６０】
また、上述した目的を達成するために、本発明に係る画像情報符号化方法は、入力画像信号をブロック化し、該ブロック単位で符号化を行う画像情報符号化方法において、色信号の解像度を示すクロマフォーマット信号及び色空間を示す色空間信号に基づき、ブロックサイズを適応的に変更して、色信号を画像内予測符号化する際の予測画像を生成する画像内予測工程と、上記画像内予測工程にて生成された予測画像と原画像との差分信号を所定のブロックサイズ単位で整数変換する変換工程と、上記変換工程における変換に応じて量子化する量子化工程と、上記量子化工程から出力された変換係数と、上記クロマフォーマット信号及び上記色空間信号とを符号化する符号化工程とを有する。
【手続補正４】
【補正対象書類名】明細書
【補正対象項目名】００６２
【補正方法】変更
【補正の内容】
【００６２】
また、上述した目的を達成するために、本発明に係る画像情報復号装置は、入力された符号化画像信号を復号する画像情報復号装置において、上記符号化画像信号を復号する復号手段と、上記復号手段からの出力信号を用いて、予測画像を生成する予測手段と、上記復号手段から出力された信号と上記予測手段から出力された信号とを加算し、出力する出力手段とを備え、上記予測手段は、上記符号化画像信号がイントラ画像の際、上記符号化画像信号に含まれる色信号の解像度を示すクロマフォーマット情報及びイントラ色差予測情報に基づいて、イントラ予測処理を行う。
【手続補正５】
【補正対象書類名】明細書
【補正対象項目名】００６３
【補正方法】変更
【補正の内容】
【００６３】
また、上述した目的を達成するために、本発明に係る画像情報復号方法は、入力された符号化画像信号を復号する画像情報復号方法において、上記符号化画像信号を復号する復号工程と、上記復号工程にて出力された出力信号を用いて、予測画像を生成する画像内予測工程と、上記復号工程にて出力された信号と上記予測工程にて出力された信号とを加算し、出力する出力工程とを有し、上記予測工程では、上記符号化画像信号がイントラ画像の際、上記符号化画像信号に含まれる色信号の解像度を示すクロマフォーマット情報及びイントラ色差予測情報に基づいて、イントラ予測処理を行う。